(57)【要約】      （修正有）【課題】被検体の載置が容易な患者用座台、寝台装置および医用画像診断装置を提供する。【解決手段】患者用座台１０は、被検体が着座する座台部１１と、寝台装置の天板に結合され、天板に対して座台部を水平回転可能に支持する支持部８２と、を備える。また、座台部の縁部に座台部に対して回転可能に結合され、被検体を支持する第１サポート部材１３および第２サポート部材１２を備え、座台部の上と、第１サポート部材の上面と、第２サポート部材の上面とが略同一平面をなすように、第１サポート部材の角度と前記第２サポート部材の角度とが調整可能である。【選択図】図４
2020005709.tif 000002
【特許請求の範囲】
【請求項１】
被検体が着座する座台部と、
寝台装置の天板に結合され、前記天板に対して前記座台部を水平回転可能に支持する支持部と
を備えた患者用座台。
【請求項２】
前記座台部の後縁部に前記座台部に対して回転可能に結合され、前記被検体の上半身を支持する第１サポート部材
を備えた請求項１に記載の患者用座台。
【請求項３】
前記座台部に対し複数の角度で前記第１サポート部材を固定する第１調整機構
を備えた請求項２に記載の患者用座台。
【請求項４】
前記座台部の後縁部と反対側の前縁部に回転可能に結合され、前記被検体の臀部より下の下半身を支持する第２サポート部材
を備えた請求項１ないし３のいずれか一項に記載の患者用座台。
【請求項５】
前記座台部に対して複数の角度で前記第２サポート部材を固定する第２調整機構
を備えた請求項４に記載の患者用座台。
【請求項６】
前記座台部の上と、前記第１サポート部材の上面と、前記第２サポート部材の上面とが略同一平面をなすように、前記第１サポート部材の角度と前記第２サポート部材の角度とが調整可能である
請求項３を引用する請求項４を引用する請求項５に記載の患者用座台。
【請求項７】
前記第２サポート部材は、少なくとも前記被検体の臀部から下かつ膝から上の部位を支持する第１部材と、
少なくとも前記被検体の膝から下を支持する第２部材と、を含み、
前記第２部材は、前記第１部材に対して回転可能である
請求項４ないし６のいずれか一項に記載の患者用座台。
【請求項８】
前記座台部は、少なくとも前記天板の長手方向に対応する第１方向と、前記長手方向に直交する第２方向との間で回転可能である
請求項１ないし７のいずれか一項に記載の患者用座台。
【請求項９】
前記座台部を前記天板に対して傾ける揺動機構
備えた請求項１ないし８のいずれか一項に記載の患者用座台。
【請求項１０】
被検体を載置可能な天板と、
前記天板に設けられ、前記被検体が着座する座台部と、を備え、
前記座台部は、前記天板に対して水平回転可能である
寝台装置。
【請求項１１】
被検体を載置可能な天板と、前記天板に対して水平回転可能に設けられ、前記被検体が着座する座台部と、を備えた寝台装置と、
前記寝台装置に載置された前記被検体を撮影する架台装置と
を備えた医用画像診断装置。
【発明の詳細な説明】
【技術分野】
【０００１】
本発明の実施形態は、患者用座台、寝台装置および医用画像診断装置に関する。
【背景技術】
【０００２】
Ｘ線ＣＴ装置、Ｘ線診断装置、放射線診断装置、ＭＲＩ装置などの医用画像診断装置は、被検体を撮影し、診断用の画像を提供する。これらの装置は、撮影を行う架台装置と、被検体を載置する寝台装置とを含む。医用画像診断装置では、患者、高齢者など介助が必要で、身体に大きな負担をかけられない者が被検体となる場合がある。
【０００３】
撮影前にオペレータは被検体を寝台装置まで移動させ、被検体を撮影に適した姿勢（仰向など）で載置しなくてはならない。さらにオペレータは、撮影後に被検体を介助し、寝台装置から起こさなくてはならない。医用画像診断装置のユーザビリティを向上させるためには、被検体を寝台装置に載置（セッティング）する作業にかかる負担を軽減する必要がある。
【先行技術文献】
【特許文献】
【０００４】
【特許文献１】特願平４−２７６４８号公報
【特許文献２】特願平２００２−１９７０２４号公報
【特許文献３】特願平２０１２−１９０７２６号公報
【発明の概要】
【発明が解決しようとする課題】
【０００５】
本発明の実施形態は、被検体の載置が容易な患者用座台、寝台装置および医用画像診断装置を提供する。
【課題を解決するための手段】
【０００６】
本発明の実施形態としての患者用座台は、被検体が着座する座台部と、寝台装置の天板に結合され、前記天板に対して前記座台部を水平回転可能に支持する支持部と、を備える。
【図面の簡単な説明】
【０００７】
【図１】第１の実施形態に係るＸ線ＣＴ装置の構成例を示すブロック図。
【図２】患者用座台を備えた寝台装置の構成例を示した斜視図。
【図３】患者用座台の第１サポート部材と第２サポート部材との角度を調整する例を示す斜視図。
【図４】患者用座台を回転させた例を示す斜視図。
【図５】被検体の載置完了後の患者用座台の状態を示した斜視図。
【図６】患者用座台を揺動させながら回転させる例を示した斜視図。
【図７】第２の実施形態に係る患者用座台の構成例を示した斜視図。
【図８】第３の実施形態に係る患者用座台の構成例を示した斜視図。
【図９】第４の実施形態に係る患者用座台の座台部の構成例を示した斜視図。
【図１０】第４の実施形態に係る座台部の支持部の構成を説明するための斜視図。
【図１１】第４の実施形態に係る座台部の支持部の構成を説明するための斜視図。
【図１２】第４の実施形態に係る座台部の支持部の構成を説明するための断面図。
【図１３】第４の実施形態に係る座台部の支持部の構成を説明するための断面図。
【図１４】ネジとリングの構成例を示した図。
【図１５】第５の実施形態に係る患者用座台の構成例を示した斜視図。
【図１６】第６の実施形態に係る患者用座台の構成例を示した斜視図。
【発明を実施するための形態】
【０００８】
以下、図面を参照しながら、実施形態について説明する。なお、実施形態は画像診断に用いられるＸ線ＣＴ（Ｃｏｍｐｕｔｅｄ  Ｔｏｍｏｇｒａｐｈｙ）装置、Ｘ線診断装置、ＭＲＩ（Ｍａｇｎｅｔｉｃ  Ｒｅｓｏｎａｎｃｅ  Ｉｍａｇｉｎｇ）装置、核医学診断装置などの医用画像診断装置および寝台装置に適用可能であるが、以下に説明する実施形態ではＸ線ＣＴ装置の例を説明する。また、図面において同一の構成要素は、同じ番号を付し、説明は、適宜省略する。
【０００９】
（第１の実施形態）
図１は第１の実施形態に係るＸ線ＣＴ装置の全体構成を示すブロック図である。このＸ線ＣＴ装置１は、架台装置６０と、寝台装置８０と、コンソール装置１００とを備えている。架台装置６０は、被験体ＰにＸ線を照射して撮影を行う。寝台装置８０は、撮影対象の被験体Ｐを載置して、被検体Ｐを架台装置６０の撮影空間へ移動させるための装置である。コンソール装置１００は、オペレータにＸ線ＣＴ装置１の操作手段を提供するとともに、被検体Ｐの移動、被検体Ｐの撮影、画像データの生成などの制御または管理を行う。
【００１０】
架台装置６０は、開口部６１と、回転フレーム６３と、回転支持部６４とを備えている。開口部６１には、寝台装置８０により被検体Ｐが送り込まれる。回転フレーム６３は、開口部６１内に送り込まれた被検体Ｐの周囲を、アイソセンタ６２を中心軸として回転する。回転支持部６４は、回転フレーム６３を回転可能に支持する。
【００１１】
回転フレーム６３は、Ｘ線発生装置６５と、Ｘ線高電圧発生装置６６と、Ｘ線検出器６７と、データ収集回路６８と、データ伝送回路６９の一部と、を回転可能に支持している。
【００１２】
Ｘ線発生装置６５は、Ｘ線高電圧発生装置６６から供給される高電圧によりＸ線を発生させるＸ線管と、Ｘ線ビームの照射範囲を設定するスリットを備えている。Ｘ線管は例えば陰極（フィラメント）から陽極（ターゲット）に向けて熱電子を照射する真空管である。Ｘ線発生装置６５は、被検体Ｐの周囲を、回転しながら被検体ＰにＸ線を照射する。Ｘ線発生装置６５は、Ｘ線発生部の一例である。
【００１３】
Ｘ線発生装置６５が備えるＸ線の発生源は、Ｘ線管以外のデバイスであってもよい。例えば、Ｘ線発生装置６５はフォーカスコイルと、偏向コイルと、ターゲットリングとを備えていてもよい。フォーカスコイルは、電子銃から発生した電子ビームを集束させる。偏向コイルは、電子ビームを電磁偏向させる。ターゲットリングは、被検体Ｐの半周を囲っており、偏向した電子ビームとの衝突時にＸ線を発生させる。
【００１４】
Ｘ線高電圧発生装置６６は、高電圧を生成し、Ｘ線発生装置６５に供給する装置である。Ｘ線高電圧発生装置６６は例えば変圧器や整流器などの電気回路を含む。Ｘ線高電圧発生装置６６は例えば変圧器方式であってもよいし、インバータ方式であってもよい。また、Ｘ線高電圧発生装置６６はＸ線発生装置６５から照射されるＸ線の強度に合わせ、出力電圧の制御も行う。Ｘ線高電圧発生装置６６は、Ｘ線高電圧部の一例である。
【００１５】
Ｘ線検出器６７は、複数のＸ線検出素子を備えたＸ線検出装置である。Ｘ線検出素子はＸ線ＣＴ装置の構造に合わせて配置する。例えば、Ｘ線管の焦点を中心とする１つの円弧に沿って、チャネル方向に複数のＸ線検出素子を配列し、Ｘ線検出素子列を形成できる。Ｘ線検出器６７は、Ｘ線発生装置６５から照射され、被検体Ｐを通過したＸ線を検出し、当該Ｘ線量に対応した電気信号をデータ収集回路６８へ出力する。Ｘ線検出器６７は、Ｘ線検出部の一例である。
【００１６】
Ｘ線検出器６７は、例えば、グリッドと、シンチレータアレイと、光センサアレイなどを備えている間接変換型の検出器である。シンチレータアレイは、複数のシンチレータを含む。シンチレータは入射Ｘ線強度に応じた光子数の光を照射するシンチレータ結晶を含む。グリッドは、シンチレータアレイのＸ線入射側の面に配置され、散乱Ｘ線を吸収する複数のＸ線遮蔽板を含む。
【００１７】
光センサアレイは、シンチレータから照射された光を電気信号に変換する。電気信号の振幅は、照射された光量に依存する。光センサアレイは、例えば複数の光電子増倍管などの光センサを備えている。なお、Ｘ線検出器６７は、入射したＸ線を直接、電気信号に変換可能な半導体素子を備えた、直接変換型の検出器であってもよい。Ｘ線検出器６７は、Ｘ線検出部の一例である。
【００１８】
なお、アイソセンタ６２は、架台装置６０のＸ線発生装置６５におけるＸ線管の焦点、Ｘ線検出器６７におけるＸ線検出面の中心を結ぶ直線上に位置する。
【００１９】
データ収集回路６８（ＤＡＳ：Ｄａｔａ  Ａｃｑｕｉｓｉｔｉｏｎ  Ｓｙｓｔｅｍ）はＸ線検出器６７の外周に配置され、電気信号から生データを生成する。データ収集回路６８は、Ｘ線検出器６７の各Ｘ線検出素子から出力される電気信号に対して増幅処理を行う増幅器と、電気信号をデジタル信号に変換するＡ／Ｄ変換回路とを少なくとも含む。
【００２０】
データ収集回路６８は、回転フレーム６３の所定の回転角度ごとに例えば１ビューの投影データを生成する。データ収集回路６８が生成した投影データは、データ伝送回路６９を介してコンソール装置１００へ転送される。データ収集回路６８はデータ収集部の一例である。
【００２１】
データ伝送回路６９は、例えば回転フレーム６３に支持された送信部と、回転支持部６４に支持された受信部を備えている。データの送受信は、例えば赤外線や可視光などを用いて行う。回転支持部６４は、架台制御装置７０とデータ伝送回路６９の受信部を支持している。架台制御装置７０は、回転フレーム６３を一定の速度で回転させる。データ伝送回路６９はデータ伝送部の一例である。
【００２２】
架台制御装置７０は、コンソール装置１００もしくは架台装置６０に取り付けられた入力装置（図示せず）からの入力信号を受け、架台の動作制御を行う。架台制御装置７０は、例えば、入力信号を受けて回転フレーム６３の回転に係る制御や、架台装置６０のチルト（傾き）に係る制御、寝台装置８０の天板の移動に係る制御を行う。架台制御装置７０は、処理回路と駆動機構を含む。処理回路は、例えばプロセッサ（Ｃｅｎｔｒａｌ  Ｐｒｏｃｅｓｓｉｎｇ  Ｕｎｉｔ：ＣＰＵ）、ＦＰＧＡ、ＡＳＩＣ、ＣＰＬＤなどの電子回路を含む。駆動機構は、例えばモータ、油圧装置、各種のアクチュエータなどの機械を含む。架台制御装置７０は、架台制御部の一例である。
【００２３】
寝台装置８０は、天板上に患者用座台１０を備えた寝台である。被検体Ｐの撮影空間への移動は、天板の移動で実現してもよいし、寝台装置をベースごと移動させて実現してもよく、方式は特に問わない。ここでは天板の移動を想定する。まず開口部６１（撮影空間）外でオペレータは被検体を患者用座台１０の上に載せる（座らせる）。そして、オペレータは患者用座台１０によって、被検体の足を持ち上げながら回転させ、被検体を寝台装置８０上の所定の姿勢に載置（セッティング）する。被検体の所定の姿勢の例としては、仰臥位（仰向け）、腹臥位（うつ伏せ）、横臥位などの臥位姿勢が挙げられるが、被検体の撮影が可能であれば、どのような姿勢であってもよい。本実施形態では、被検体を寝台装置８０上に仰臥位で載置する場合を例に説明する。載置が完了したら、オペレータはコンソール装置１００の入力装置１０４を操作して天板を長手方向に動かし、天板上に載置された被検体Ｐを開口部６１内（撮影空間）に送り込み、撮影を開始する。なお、患者用座台１０の構造および被検体の載置の詳細については後述する。
【００２４】
コンソール装置１００は、画像の生成と架台装置６０および寝台装置８０の制御や管理を行い、架台装置６０および寝台装置８０の操作手段を提供する装置である。コンソール装置１００は、処理回路１１０と、記憶回路１１１と、入力装置１０４と、ディスプレイ１０５とを備えている。
【００２５】
処理回路１１０は、入力装置１０４から出力される入力操作の電気信号に応じてＸ線ＣＴ装置１全体の動作を制御する。例えば、処理回路１１０は処理機能として、画像生成機能１０２と、システム制御機能１０３とを備えている。これらの機能は例であり、処理回路１１０は他にスキャン制御機能や表示制御機能などを備えていてもよい。処理回路１１０は、処理部の一例である。
【００２６】
処理回路１１０で行われる各処理機能は、コンピュータによって実行可能なプログラムの形態で記憶回路へ記録されている。処理回路１１０は、プログラムを記憶回路から読み出し、実行することで各プログラムに対応する機能を実現するプロセッサである。換言すると、各プログラムを読み出した状態の処理回路１１０は、図１の処理回路１１０内に示された各機能を有することとなる。
【００２７】
なお、図１においては単一の処理回路にて各処理機能が実現されるものとして説明したが、複数の独立したプロセッサを組み合わせて処理回路を構成し、各プロセッサがプログラムを実行することにより機能を実現するものとしても構わない。
【００２８】
処理回路１１０の画像生成機能１０２は、生データからＣＴ画像データを生成する。まず、画像生成機能１０２はデータ収集回路６８から出力された生データに対して対数変換処理やオフセット補正処理、チャネル間の感度補正処理、ビームハードニング補正などの前処理を施し、撮影データを生成する。処理回路１１０の画像生成機能１０２はさらに投影データに対して、フィルタ補正逆投影法や逐次近似再構成法などを用いた再構成処理を行ってＣＴ画像データを生成する。
【００２９】
処理回路１１０のシステム制御機能１０３は、入力装置１０４を介してオペレータから受け付けた入力操作に基づいて、処理回路１１０の各種機能を制御する。システム制御機能１０３は、制御部の一例である。
【００３０】
記憶回路１１１は、例えばＣＴ画像データと、架台装置６０のデータ伝送回路６９から送信された投影データを保存する。記憶回路１１１は、例えば、ＲＡＭ（Ｒａｎｄｏｍ  Ａｃｃｅｓｓ  Ｍｅｍｏｒｙ）、フラッシュメモリなどの半導体メモリ素子、ＭＲＡＭ、ＦＲＡＭ、ハードディスク、光ディスクなどにより実現される。（また、記憶回路１１１は、記憶部の一例である。）
【００３１】
入力装置１０４は、オペレータからの各種の入力操作を受け付け、受け付けた入力操作を電気信号に変換して処理回路１１０に出力する。例えば、オペレータは入力装置１０４を介して、投影データを収集する際の収集条件や、ＣＴ画像を再構成する際の再構成条件、ＣＴ画像から後処理画像を生成する際の画像処理条件などの設定を行うことができる。入力装置１０４は、例えば、マウス、キーボード、タッチパネル、ペンタブレット、トラックボール、スイッチ、ボタン、ジョイスティックなどにより実現される。入力装置１０４は、入力部の一例である。
【００３２】
ディスプレイ１０５は、各種の情報を表示する。例えば、ディスプレイ１０５は、処理回路１１０によって生成された医用画像（ＣＴ画像）や、オペレータからの各種操作を受け付けるためのＧＵＩ（Ｇｒａｐｈｉｃａｌ  Ｕｓｅｒ  Ｉｎｔｅｒｆａｃｅ）などを表示する。例えば、ディスプレイ１０５は、液晶ディスプレイ、有機ＥＬ（Ｅｌｅｃｔｒｏｌｕｍｉｎｅｓｃｅｎｃｅ）ディスプレイやＣＲＴ（Ｃａｔｈｏｄｅ  Ｒａｙ  Ｔｕｂｅ）ディスプレイ等によって構成される。ディスプレイ１０５は、表示部の一例である。
【００３３】
コンソール装置１００は、単一のコンソールにて複数の機能を実行するものとして説明したが、複数の機能を別々のコンソールが実行することにしても構わない。
【００３４】
なお、Ｘ線ＣＴ装置には、Ｘ線管と検出器とが一体として被検体の周囲を回転するＲｏｔａｔｅ／Ｒｏｔａｔｅ−Ｔｙｐｅ（第３世代ＣＴ） 、リング状にアレイされた多数のＸ線検出素子が固定され、Ｘ線管のみが被検体の周囲を回転するＳｔａｔｉｏｎａｒｙ／Ｒｏｔａｔｅ−Ｔｙｐｅ（第４世代ＣＴ）など様々なタイプがあるが、いずれのタイプでも本実施形態への適用が可能である。
【００３５】
また、架台装置６０の撮像系と天板の位置関係の相対的な変更を伴うスキャン（ヘリカルスキャンや位置決めスキャン等）実行の際、当該位置関係の相対的な変更は天板の駆動によって行われてもよいし、架台装置６０の走行によって行われてもよく、これらの組み合わせによって行われてもよい。
【００３６】
図２は、被検体を患者用座台に載置（セッティング）するときの構成例を示した斜視図である。図２の斜視図では、Ｘ線ＣＴ装置（医用画像診断装置）のうち、寝台装置８０のみが示されている。架台装置６０は、図２よりｚ軸負方向側に設置されているものとする。以下では本実施形態に係る患者用座台１０の構成と、被検体を寝台装置８０に載置する作業について説明する。
【００３７】
患者用座台１０は、大きく座台部１１と、第１サポート部材１３と、第２サポート部材１２と、を備えている。患者用座台１０は、患者用の椅子を形成する。患者用座台１０が形成する椅子は、寝台装置８０の側面（ｘ軸負方向）、すなわち天板の長手方向（第１方向）に垂直な方向（第２方向）を向いている。この向きの状態で、オペレータは被検体を介助し、患者用座台１０が形成する椅子に被検体を着座させる。着座姿勢において、被検体の上半身（例えば背中）は、第１サポート部材１３に沿った状態もしくは第１サポート部材１３にもたれかかった状態となる。被検体の臀部と太ももは座台部１１上に置かれた状態となる。被検体の膝から下の部分（ふくらはぎ、足など）は第２サポート部材１２に支持された状態となる。すなわち、第２サポート部材１２は、被検体の下半身の一部を支持している。
【００３８】
座台部１１は、略平板状の構造物であり、支持部８２によって下方（ｙ軸負方向）から回転可能に支持されている。すなわち、座台部１１は、支持部８２が備える回転機構（後述する図１０、図１２参照）によって回転可能になっている。座台部１１は、概ねｘｚ平面に平行に回転可能である。一例として、少なくとも、天板の長手方向（第１方向）と、第１方向に垂直な方向（第２方向）との間で回転可能である。支持部８２は、寝台装置８０の天板８１に脱着可能に結合（固定）される。図の例では天板８１の架台装置とは反対側の端部近傍（後述する図８参照）に結合されている。患者用座台１０は天板８１が寝台装置８０の長手方向（ｚ軸方向）に移動されると天板８１とともに移動される。座台部１１として、例えば、平面視略長方形状の構造物や、長方形の片側を半円状にした構造物、あるいは、楕円状の構造物を用いることができるが、座台部１１の形状については特に問わない。
【００３９】
第１サポート部材１３は、座台部１１の後縁部（第１の縁）に回転可能に支持されている、略平板状の構造物である。座台部１１の後縁部とは、図２の状態の座台部１１においてｘ軸正方向の縁のことをいうものとする。患者用座台１０上に被検体の載置を完了したときに、座台部１１の後縁部は、天板８１の進行方向（架台装置６０の方向）を向く（後述する図５参照）。第１サポート部材１３と座台部１１は、それぞれの両側面（図２のｚ軸正方向およびｚ軸負方向の側面）において、シャフト１４を介して連結されている。シャフト１４は、長さが調整可能な棒状の構造物である。シャフト１４は、座台部１１に対して第１サポート部材１３を複数の角度（回転角）で固定する調整機構（第１調整機構）の一例である。シャフト１４の一方の端部は座台部１１の側面に回転可能に支持されている。例えば、座台部１１の側面とシャフト１４の一方の端部とに軸支穴を設け、両方の軸支穴を貫通する軸支ピンを装着する。そして、シャフト１４の他方の端部は第１サポート部材１３の側面に回転可能に支持されている。例えば、第１サポート部材１３の側面とシャフト１４の他方の端部とに軸支穴を設け、両方の軸支穴を貫通する軸支ピンを装着する。第１サポート部材１３として、例えば平面視略長方形の片側を座台部１１の形状に合致する形状にした構造物などを用いることができるが、第１サポート部材１３の形状については特に問わない。
【００４０】
第２サポート部材１２は、座台部１１の後縁部（第１の縁）と反対側の前縁部（第２の縁）に回転可能に支持されている、略平板状の構造物である。座台部１１の前縁部とは、図２の状態の座台部１１におけるｘ軸負方向の縁のことをいうものとする。患者用座台１０上に被検体の載置を完了したときに、座台部１１の前縁部は、天板８１の進行方向（架台装置６０の方向）と反対の方向を向く（後述する図５参照）。第２サポート部材１２と座台部１１は、それぞれの両側面（図２のｚ軸正方向およびｚ軸負方向の側面）において、シャフト１５を介して連結されている。シャフト１５は、長さが調整可能な棒状の構造物である。シャフト１５は、座台部１１に対して第２サポート部材１２を複数の角度（回転角）で固定する調整機構（第２調整機構）の一例である。シャフト１５の一方の端部は第２サポート部材１２の側面に回転可能に支持されている。例えば、第２サポート部材１２の側面とシャフト１５の一方の端部に軸支穴を設け、両方の軸支穴を貫通する軸支ピンを装着する。そして、シャフト１５の他方の端部は座台部１１の側面に回転可能に支持されている。例えば、座台部１１の側面とシャフト１５の他方の端部に軸支穴を設け、両方の軸支穴を貫通する軸支ピンを装着する。第２サポート部材１２として、例えば平面視略長方形状の構造物などを用いることができるが、第２サポート部材１２の形状については特に問わない。
【００４１】
なお、第２サポート部材１２の座台部１１に対する角度、および第１サポート部材１３の座台部１１に対する角度が固定されるよう、第２サポート部材１２と座台部１１の間、ならびに第１サポート部材１３と座台部１１の間に、ロック機構（ストッパ）を設けてもよい。この場合、第２サポート部材１２または第１サポート部材１３の座台部１１に対する角度を調整する際には、ロックを解除し、角度の調整が終わった後にロックをかけ、角度を固定する。ロック機構の構造および種類については特に問わない。例えば、シャフト１４、１５の長さを固定することにより、第２サポート部材１２と第１サポート部材１３の座台部１１に対する角度を固定（ロック）してもよい。
【００４２】
第１サポート部材１３の上面には、対となった凹部１６が形成されている。第２サポート部材１２にも同様に対となった凹部１６が形成されている。オペレータは、凹部１６に手指を挿入することによって、患者用座台１０に対する第１サポート部材１３の角度変更操作および第２サポート部材１２の角度変更操作などを容易に行うことができる。ただし、第２サポート部材１２と第１サポート部材１３に凹部１６が形成されていなくてもよい。
【００４３】
上述の座台部１１、支持部８２、天板８１は、高機能プラスチックや、炭素繊維強化プラスチック（ＣＦＲＰ：Ｃａｒｂｏｎ  Ｆｉｂｅｒ  Ｒｅｉｎｆｏｒｃｅｄ  Ｐｌａｓｔｉｃｓ）などＸ線吸収率の低い材料で形成することが好ましい。ただし、使用する材料については特に問わない。
【００４４】
図３は、図２の状態に対して第２サポート部材１２と第１サポート部材１３の角度を調整した状態を示す。図３の患者用座台１０の状態は、被検体を寝台装置８０に載置する作業における、図２の次のステップの状態に相当する。
【００４５】
図３の患者用座台１０では、第２サポート部材１２の上面が座台部１１の上面と略同一平面または略平行となるよう、第２サポート部材１２の座台部１１に対する角度が調整されている。これにより、脚を膝で曲げていた被検体は脚を伸ばすことができる。オペレータが第２サポート部材１２を下から持ち上げてもよいし、アクチュエータなどを使った機械的な制御によって、第２サポート部材１２の座台部１１に対する角度を変更してもよい。
【００４６】
また、図３の患者用座台１０では、第１サポート部材１３が後方（図３のｘ軸正方向）に少し倒され、座台部１１と第１サポート部材１３との角度が、図２の状態よりも大きくなっている。これにより、患者用座台１０上の被検体は、脚を伸ばしたまま、楽な姿勢で上半身を第１サポート部材１３にもたれかけさせることができる。
【００４７】
患者用座台１０を使うことによって、オペレータは容易に、被検体の姿勢を変えることができる。この際、患者用座台１０が回転することにより、オペレータは、直接、被検体の身体に触れないことも可能である。
【００４８】
図４は、図３の状態に対してｙ軸の時計回りにオペレータによって患者用座台１０を回転させた状態を示す。図４の状態は、被検体を寝台装置８０に載置する作業における、図３の次のステップの状態に相当する。
【００４９】
図３（前ステップ）で第２サポート部材１２が上方（ｙ軸正方向）に持ち上げられているため、座台部１１の回転の際も第２サポート部材１２が寝台装置８０と衝突しない。図４のステップでは、患者用座台１０の向きが、寝台装置８０の長手方向（ｚ軸方向）に沿った向きになるまで、すなわち、被検体の頭部がｚ軸負方向を向くまで、患者用座台１０が回転させられる。
【００５０】
図５は、被検体の載置完了後の状態における患者用座台１０を示した斜視図である。図５の状態は、被検体を寝台装置８０に載置する作業における、図４の次のステップの状態に相当する。
【００５１】
第１サポート部材１３の上面が座台部１１の上面と略同一平面または略平行となるよう、第１サポート部材１３の座台部１１に対する角度が調整されている。このため、座台部１１、第２サポート部材１２、第１サポート部材１３のそれぞれの上面が略同一平面または略平行に配置され、患者用座台１０は全体として担架（ストレッチャー）のような平面視略長方形の略平板状の形状となる。図５で被検体は患者用座台１０の上で臥位姿勢をとることができる。
【００５２】
また、図５では患者用座台１０の長手方向が寝台装置８０（天板８１）の長手方向（ｚ軸方向）と略平行となるよう、回転機構によって座台部１１の寝台装置８０に対するｙ軸回りの角度が調整されている。座台部１１が支持部８２（寝台装置８０）に対して回転しないよう、座台部１１と支持部８２の間でロックをかけてもよい。被検体の載置が完了したときに患者用座台１０は天板８１の長手方向と略平行となっている。患者用座台１０が図５の状態になったら、天板８１をｚ軸負方向に駆動により移動させ、天板８１上の患者用座台１０に載置された被検体を開口部６１内（撮影空間）に送り込み、撮影を開始できる。
【００５３】
なお、被検体の撮影終了後に実行される手順は、上述の図２〜図５のステップが逆の順序で実行される。すなわち、天板８１を開口部６１（撮影空間）からｚ軸正方向に移動する。すなわち、天板８１上の患者用座台１０に載置された被検体を開口部６１内から外に出す。そして、患者用座台１０を寝台装置８０の長手方向（ｚ軸方向）と略平行な向きから、寝台装置８０の長手方向と略垂直な向きになるよう、ｙ軸の反時計回りに回転させる。その後、第１サポート部材１３の座台部１１に対する角度を変更し、さらに第２サポート部材１２の座台部１１に対する角度を変更することによって、被検体の姿勢を臥位姿勢から着席姿勢に変えることができる。なお、第１サポート部材１３と第２サポート部材１２の角度変更は逆の順番で行ってもよいし、交互に複数回に分けて行ってもよい。また、第１サポート部材１３の角度の変更は、患者用座台１０の回転前または回転の途中に行ってもよい。
【００５４】
上述の手順は一例にしか過ぎない。したがって、一部の操作が行われるタイミングが上述した手順とは異なっていてもよい。例えば、被検体を座台部１１に載置した直後に第１サポート部材１３を後方に倒してもよいし、患者用座台１０を寝台装置８０の長手方向と略平行な向きに回転させてから第１サポート部材１３を倒し、被検体を臥位姿勢にしてもよい。また上述した手順の各ステップで変更される角度の大きさが、上述した角度とは異なっていてもよい。
【００５５】
（第１の変形例）
被検体の方向転換（回転）が行われる際、オペレータに被検体の足が衝突しないよう、患者用座台を天板８１に対して（すなわちｘ軸およびｚ軸回り）傾けてもよい。そこで第１の変形例に係る患者用座台の座台部１１はｘ軸およびｚ軸回りに回転可能（天板８１に対して搖動可能）に構成されている。このため、被検体の方向転換（回転）をしているときに、地面（寝台装置８０）に対して略水平な状態から被検体を傾けることができる。
【００５６】
図６は、患者用座台を天板８１に対して傾斜をつけながら回転させる例を示した斜視図である。図６は第１の実施形態における図４の状態に対応する。すなわち、図６では図４と同様、患者用座台１０の座台部１１が寝台装置８０（支持部８２）に対してｙ軸回りに回転させられている。さらに、図６では、被検体の臀部から脚部に上り傾斜が形成されるよう、座台部１１および第２サポート部材１２が傾けられている。具体的には、図６の座台部１１は、破線ａで示す軸で回転可能（すなわち天板に対して揺動動作が可能）となるよう、支持部８２に支持されている（揺動機構の詳細は後述する第４の実施形態を参照）。したがって、オペレータは、被検体の脚側を上方向に持ち上げながら、被検体の方向転換を行うことが容易に可能である。
【００５７】
（第２の実施形態）
第１の実施形態に係る患者用座台において、伸縮可能なシャフト１４、１５のそれぞれの両端部は固定されていた。第２の実施形態に係る患者用座台では、伸縮可能なシャフト１４、１５のそれぞれ両端部の一方が移動可能に構成され、他方が固定されている。以下では、第１の実施形態に係る患者用座台との差異点を中心に、第２の実施形態に係る患者用座台を説明する。
【００５８】
図７は、第２の実施形態に係る患者用座台の構成例を示した斜視図である。第２サポート部材１２と座台部１１は、それぞれの両側面（ｚ軸正方向およびｚ軸負方向の側面）において、シャフト１５ａを介して連結されている。シャフト１５ａは、長さが調整可能な棒状の構造物である。シャフト５ａは、座台部１１に対して第２サポート部材１２を複数の角度（回転角）で固定する調整機構（第２調整機構）の一例である。シャフト１５ａの一方の端部は第２サポート部材１２の側面に回転可能に支持されている。例えば、第２サポート部材１２の側面とシャフト１５ａの一方の端部とに軸支穴を設け、両方の軸支穴を貫通するように軸支ピンを装着する。
【００５９】
シャフト１５ａの他方の端部は、座台部１１の両側面に設けられた孔部１７に掛けられた軸部１９に回転可能に支持されている。例えば、軸部１９の端部と、シャフト１５ａの他方の端部とに軸支穴を設け、両方の軸支穴を貫通するように軸支ピンを装着する。座台部１１の両側面に設けられた孔部１７は、略対称な形状となっている。両方の孔部１７は、座台部１１の側面長手方向に沿って形成されている。したがって、シャフト１５ａの他方の端部と軸部１９を、孔部１７に沿って、座台部１１の長手方向（ｘ軸方向）に移動させることができる。
【００６０】
また、孔部１７は、下向き（ｙ軸負方向）に複数の凸部を有する。下向きの複数の凸部は離散的（例えば略一定間隔）に配置されている。軸部１９を孔部１７の凸部に掛けることによって、座台部１１における、シャフト１５ａの支持点の位置（シャフト１５ａの端部の位置）を固定できる。座台部１１における、シャフト１５ａの支持点の位置を変更する際には、シャフト１５ａの端部を上方（ｙ軸正方向）に押し上げてから、支持点を座台部１１の側面長手方向（ｘ軸方向）に沿って移動させる。この際、シャフト１５ａが伸縮する。そして、軸部１９の両端部を孔部１７における別の凸部に掛ける。
【００６１】
第１サポート部材１３と座台部１１は、両側面（ｚ軸正方向およびｚ軸負方向の側面）においてシャフト１４ａを介して連結されている。シャフト１４ａは、長さが調整可能な棒状の構造物である。シャフト１４ａは、座台部１１に対して第１サポート部材１３を複数の角度（回転角）で固定する調整機構（第１調整機構）の一例である。シャフト１４ａの一方の端部は座台部１１の側面に回転可能に支持されている。例えば、座台部１１の側面とシャフト１４ａの一方の端部とに軸支穴を設け、両方の軸支穴を貫通するように軸支ピンを装着する。
【００６２】
そして、シャフト１４ａの他方の端部は、第１サポート部材１３の両側面に設けられた孔部１８に掛けられた軸部２０に、回転可能に支持されている。例えば、軸部２０の端部と、シャフト１４ａの他方の端部とに軸支穴を設け、両方の軸支穴を貫通するように軸支ピンを装着する。第１サポート部材１３の両側面に設けられた孔部１８は、略対称な形状となっている。両方の孔部１８は、第１サポート部材１３の側面長手方向に沿って形成されている。したがって、シャフト１４ａの他方の端部と軸部２０を、孔部１８に沿って、第１サポート部材１３の長手方向に移動させることができる。
【００６３】
また、孔部１８は、第１サポート部材１３の上向きに複数の凸部を有する。上向きの複数の凸部は離散的（例えば略一定間隔）に配置されている。各凸部には軸部１９が掛けられるよう凸部が途中で屈曲している。軸部１９を孔部１８の凸部に掛けることによって、第１サポート部材１３における、シャフト１４ａの支持点の位置（シャフト１４ａの端部の位置）を固定できる。第１サポート部材１３における、シャフト１４ａの支持点の位置を変更する際には、シャフト１４ａを第１サポート部材１３に対して下方向に押し下げてから、支持点を第１サポート部材１３の側面長手方向に沿って移動させる。この際、シャフト１４ａが伸縮する。そして軸部２０の両端部を、孔部１８における別の凸部に掛ける。
【００６４】
孔部１７、１８の縁または周囲の少なくともいずれかの機械的な強度を座台部１１本体とは異なる材料によって補強してもよい。また、軸部１９、２０の材料の例としては高機能プラスチックや、炭素繊維強化プラスチック（ＣＦＲＰ）などＸ線吸収率の低い材料が挙げられるが、どのような種類の材料を用いてもよい。
【００６５】
図７の患者用座台１０を用いることによって、オペレータは患者用座台１０上に載置された被検体の姿勢を容易に変えることができる。これにより、オペレータと被検体にかかる負担が軽減される。
【００６６】
（第３の実施形態）
上述の各実施形態に係る患者用座台は、座台部、第１サポート部材、第２サポート部材の構成要素を有していた。ただし、この構成は一例にしか過ぎない。被検体の快適性を向上させるために、患者用座台はより多くの可動（回転可能）な部位を備えていてもよい。以下では、上述の各実施形態に係る患者用座台との差異点を中心に、第３の実施形態に係る患者用座台を説明する。
【００６７】
図８は、第３の実施形態に係る患者用座台の構成例を示した斜視図である。図８の患者用座台１０は、座台部１１と、第１サポート部材１３と、第２サポート部材１２とを備えており、第２サポート部材１２は、第１部材１２Ａと、第２部材１２Ｂとを備えている。座台部１１は平面視略円形形状を有し、主に被検体の臀部を支持する。第１部材１２Ａは、少なくとも被検体の臀部より下半身のうち、膝から上を主に支持する。第２部材１２Ｂは、少なくとも被検体の膝から下を主に支持する。第２部材１２Ｂは、図１の第２サポート部材１２に対応する。第１サポート部材１３は、座台部１１の後縁部に回転可能に支持されている。一方、第１部材１２Ａは、座台部１１の前縁部に、回転可能に支持されている。例えば、座台部１１と第１サポート部材１３の間、ならびに座台部１１と第１部材１２Ａの間に、軸支穴を貫通する軸支ピンを設けることができる。また、座台部１１と第１サポート部材１３の間、ならびに座台部１１と第１部材１２Ａの間の角度を固定するために、ロック機構を設けてもよい。
【００６８】
さらに、第１部材１２Ａの座台部１１の反対側の縁には、第２部材１２Ｂが回転可能に支持されている。例えば、第１部材１２Ａと座台部１１の間に、軸支穴を貫通する軸支ピンを設けることができる。第１部材１２Ａと座台部１１の間の角度を固定するために、ロック機構を設けてもよい。
【００６９】
被検体の載置が完了したときに座台部１１の上面、第１部材１２Ａの上面、第２部材１２Ｂの上面、第１サポート部材１３の上面が略同一平面または略平行に配置され、患者用座台１０は全体として平面視略長方形の略平板状となる。
【００７０】
図８の構成を用いると、患者用座台上に載置された被検体の方向転換を行う際、被検体の脚側（太もも、ふくらはぎなど）を被検体の臀部に対して持ち上げることが容易になる。この際、被検体の臀部は、寝台装置８０（天板８１）に対して略水平であるため、被検体の臀部の位置が安定し、方向転換操作時における被検体の快適性が向上する。
【００７１】
（第４の実施形態）
第１の変形例の説明において、搖動動作が可能な座台部について言及したが、第４の実施形態では、搖動動作が可能な座台部およびその周辺の具体的な構造について説明する。
【００７２】
図９は、座台部の天蓋２２の構成例を示している。天蓋２２は、使用時に被検体の臀部と接する天板部と、天板の周囲に沿って下向き（ｙ軸負方向）に設けられた側壁部とを含む。側壁部の両側面（ｚ軸正方向およびｚ軸負方向の側面）には孔部２２ａが設けられている。図９の孔部２２ａは、図７における孔部１７に相当する。また、天蓋２２の下面すなわち裏面（ｙ軸負側の面）において、略板状の支持板２２ｂが２箇所に互いに対応する位置に配置されている。支持板２２は、その板面が天蓋２２の裏面に略垂直方向になっている。各支持板２２ｂには、厚さ方向（ｚ軸方向）に貫通する孔部２２ｃが開けられている。
【００７３】
図１０は、座台部の天蓋２２の下方（ｙ軸負方向）に位置する天蓋支持部２３の構成例を示している。天蓋支持部２３は、第１の実施形態における支持部８２の一部に相当する。天蓋支持部２３は、略円筒形状の構造物である。天蓋支持部２３は、下側の面（ｙ軸負方向の面）が開放された、内側が中空状の構造（例えばペットボトルのキャップのような構造）を有する。天蓋支持部２３は、内側の中空状の部分に、後述する支持台２４の突起部２４ａを収容可能に構成されている。また、天蓋支持部２３の上面における直径方向（ｚ軸方向）の両端には、支持板２３ａが上方（ｙ軸正方向）に突出している。支持板２３ａはいずれも略板状の構造物であり、厚さ方向（ｚ軸方向）に貫通する孔部２３ｂが開けられている。
【００７４】
図１１は、天蓋支持部２３のさらに下方（ｙ軸負方向）に位置する支持台２４の構成例を示している。支持台２４は、第１の実施形態における支持部８２の一部に相当する。寝台装置８０の天板８１の表面に設けられた図示しない凹部（結合部）に、脱着可能に結合されている。支持台２４は、略六面体状の基部２４ｂと、基部２４ｂの上方（ｙ軸正方向）に突出する略円筒状の突起部２４ａとを備える。基部２４ｂが、寝台装置８０の天板８１の表面に設けられた凹部（図示しせず）に嵌合する。突起部２４ａには、上方（ｙ軸正方向）から図１０の天蓋支持部２３が被せられ、円筒状の天蓋支持部２３の中空部に収容される。天蓋支持部２３の中空部分の直径は、突起部２４ａの直径より大きくなっている。天蓋支持部２３は、後述する図１２で説明するように、支持台２４の上でｘｚ平面に平行に回転可能である。
【００７５】
次に、天蓋支持部２３を支持台２４上で回転および揺動させるための詳細な構造（支持部８２が備える回転機構および揺動機構の詳細構造）について説明する。図１２は、患者用座台を図９の破線Ａを通るｙ−ｚ面で切断したときの断面図である。一方、図１３は患者用座台を図９の破線Ｂまたは破線Ｂ´を通るｘ−ｙ平面で切断したときの断面図である。
【００７６】
図１２において、ネジ３２（図１４参照）と、ネジ３２を固定するリング３０（図１４参照）とによって、天蓋２２が天蓋支持部２３に対して揺動可能（ｘ軸およびｚ軸回りに回転可能）に支持されている。すなわち、ネジ３２が、天蓋２２の支持板２２ｂの孔部と、天蓋支持部２３の支持板２３ａの孔部とを貫通し、反対側のリング３０と結合している。ネジ３２の軸の断面が略円形となっており、搖動動作における回転軸となっている。すなわち、天蓋２２は、ネジ３２の軸を回転軸として揺動（ｘ軸およびｚ軸回りに回転）可能になっている。ネジ３２とリング３０に係る構造の詳細については後述する。
【００７７】
また、図１２において、支持台２４の突起部２４ａの表面（側面および上面）には、天蓋支持部２３との間で回転時に発生する摩擦が軽減されるよう、潤滑剤３６が設けられている。潤滑剤３６の例としてはグリスなどの油脂または樹脂などが挙げられるが、材料の種類については特に問わない。
【００７８】
図１４は、図１２におけるネジ３２とリング３０の詳細構成例を示している。ネジ３２は、プレート３３と、軸部３４と、基部３５とを含む。プレート３３は板状の構造物であり、軸部３４の先端に位置している。プレート３３は、略楕円形状を有する。軸部３４は基部３５から延出している構造物であり、略円筒形状の基部３５の中心軸（仮想軸）Ｒに沿っている。軸部３４は基部３５に対して回転可能になっている。軸部３４の回転操作は、基部３５における軸部３４の反対側の面に設けた溝（図示せず）をドライバによって回転することによって行ってもよいし、つまみを回転することによって行ってもよく、方法については特に問わない。軸部３４を回転させることで、軸部３４の先端にあるプレート３３を、軸（仮想軸）Ｒを中心として回転させることができる。ここでは軸部３４が基部３５に対して回転可能である例を示したが、軸部３４が基部３５に固定され、基部３５に対して回転可能でなくてもよい。この場合、基部３５を回転させることで、軸部３４およびプレート３３も付随して回転させることができる。
【００７９】
リング３０は、略円形状で板状の構造物である。リング３０の中心には略楕円形状の孔部３１が厚さ方向を貫通するように開けられている。孔部３１はネジ３２のプレート３３と略同一形状で、プレート３３よりわずかに大きく形成されている。したがって、図１４のように、軸Ｒに沿ってリング３０とネジ３２を配置した状態において、リング３０とネジ３２を接近させると、リング３０の孔部３１にプレート３３を通すことができる。その後、ネジ３２の軸部３４または基部３５を回転させることで、プレート３３の方向が転換（例えば９０°程度回転）し、プレート３３がリング３０の孔部３１から抜けることを防止できる。こうして、ネジ３２とリング３０の間に挟まれた天蓋２２を回転（揺動）可能に支持される。
【００８０】
図１４では、孔部３１とプレート３３の形状が略楕円形状であったが、この形状は一例にしか過ぎず、略長方形状など他の形状でもよい。なお、被検体の撮影の観点からは、Ｘ線吸収率の低い材料を用いることが好ましい。したがって、リング３０とネジ３２を樹脂などで形成してもよい。ただし、リング３０とネジ３２の材料については特に限定しない。
【００８１】
なお、図９〜図１４の構造は回転機構および搖動機構を実現する構成の一例にしかすぎない。したがって、これとは異なる構造を用いて患者用座台の回転動作および搖動動作を実現してもよい。例えば、支持台２４に球面軸受を設け、座台部の裏面に垂直に延びる軸部を配置し、軸部の先端に球体を設け、球体を球面軸受に結合させてもよい。これにより、球体が球面軸受に対してｘｙｚ軸の任意の軸回りに回転できるため、回転運動と搖動動作の双方を実現できる。
【００８２】
（第５の実施形態）
上述の各実施形態において、患者用座台１０は座台部、第１サポート部材、第２サポート部材など、複数の構成要素を備えていた（図８参照）。ただし、これらの構成は一例にしかすぎず、患者用座台１０はこれらのすべての構成要素を備えていなくてもよい。例えば、第１サポート部材を省略した構成を用いてもよいし、第２サポート部材を省略した構成を用いてもよい。第５の実施形態に係る患者用座台として、第１サポート部材と第２サポート部材を省いた患者用座台を示す。
【００８３】
図１５は、第５の実施形態に係る患者用座台の構成例を示した斜視図である。図１５の患者用座台１０は、第１の実施形態に係る患者用座台から、第１サポート部材、第２サポート部材を除去した構成となっている。支持部８２には回転機構が設けられており、患者用座台１０の座台部１１は、軸（仮想軸）Ｃ１に対して回転可能である。回転機構の例としては、図１３に示した回転機構またはこれに類似した機構を用いたものでもよいし、歯車、ベアリング、軸受、円形の回転部品を用いたものなどでもよい。回転機構の種類については特に限定しない。患者用座台１０の座台部１１は平面視略楕円形状となっているが、座台部１１の形状は他の形状でもよい。座台部１１を回転させることで、座台部１１の上に着座した被検体を容易に方向転換できる。座台部１１の回転は、オペレータが行ってもよいし、被検体が自力で行ってもよい。また、座台部１１の長さを長くし、座台部１１上で被検体を臥位姿勢可能としてもよい。これにより、被検体を臥位姿勢のままで方向転換させることができる。
【００８４】
（第６の実施形態）
第１〜第５の実施形態に係る患者用座台は、寝台装置８０の天板８１に脱着可能に設置されていたが、患者用座台が天板８１と一体化した構成も可能である。第６の実施形態に係る患者用座台として、寝台装置の天板と一体化した患者用座台を示す。
【００８５】
図１６は、第６の実施形態に係る患者用座台を備えた寝台装置の構成例を示した斜視図である。図１６の患者用座台１０は、座台部１１を備えているが、第１サポート部材と第２サポート部材は備えていない。座台部１１は平面視略円形状となっている。座台部１１は、予め天板８１の一部として取り付けられている。座台部１１の表面（患者用座台１０）と天板８１と表面は、略同一平面をなしている、または略平行となっている。
【００８６】
座台部１１（患者用座台１０）は天板８１に対して回転可能である。座台部１１（患者用座台１０）の回転動作を実現する回転機構の方式と構造については特に限定しない。回転機構の例としては、図１３に示した回転機構またはこれに類似した機構を用いてもよいし、（この場合、天板に形成した凹部に図１３の突起部２４ａに相当する部材および潤滑剤３６を設けてもよい）、歯車、ベアリング、軸受、円形の回転部品を用いたものなどが挙げられる。
【００８７】
次に、図１６の構成の患者用座台が用いられる場合における、被検体の載置（セッティング）方法について説明する。最初に被検体は座台部１１（患者用座台１０）上に臀部を置いた状態に着座する。次に、オペレータの介助の下、被検体は脚を伸ばした姿勢とさせられる。このとき、被検体は、腕を前に伸ばした状態か、脚の上に置いた状態となってもよい。
【００８８】
その後、回転機構を使って座台部１１（患者用座台１０）上の被検体の方向転換が行われる。オペレータが被検体を支えながら、方向転換をしてもよいし、被検体が自力で方向転換してもよい。被検体の方向転換が完了したら、被検体は、座台部１１に座った状態から天板８１（寝台装置８０）の長手方向（ｚ軸方向）に沿った臥位姿勢になる。被検体が天板８１上で臥位姿勢になったら、天板ごと被検体を開口部６１内（撮影空間）に送り込み、撮影を行うことができる。
【００８９】
以上、本発明の実施形態によれば、寝台装置が患者用座台を備えていることにより、被検体の載置が容易となる。したがって、被検体を寝台装置に載置する作業と、被検体を寝台装置から起こす作業のオペレータの負担を軽減し、医用画像診断装置のユーザビリティを向上させることができる。
【００９０】
上記説明において用いた「プロセッサ」という文言は、例えば、ＣＰＵ（ｃｅｎｔｒａｌ  ｐｒｏｃｅｓｓｉｎｇ  ｕｎｉｔ）、ＧＰＵ（Ｇｒａｐｈｉｃｓ  Ｐｒｏｃｅｓｓｉｎｇ  Ｕｎｉｔ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００９１】
プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。
【００９２】
なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１における複数の構成要素を１つのプロセッサへ統合してその機能を実現するようにしてもよい。
【００９３】
本発明のいくつかの実施形態を説明したが、これらの実施形態は例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９４】
１  Ｘ線ＣＴ装置
１０  患者用座台
１１  座台部
１２  第２サポート部材
１３  第１サポート部材
１４、１４ａ  シャフト（第１調整機構）
１５、１５ａ  シャフト（第２調整機構）
１６  凹部
１７、１８、２２ａ、２３ｂ、３１  孔部
２０  軸部
１２Ａ  第１部材
１２Ｂ  第２部材
２２  天蓋
２３  天蓋支持部
２２ｂ、２３ａ  支持板
２４  支持台
２４ａ  突起部
２４ｂ、３５  基部
３０  リング
３２  ネジ
３３  プレート
３４  軸部
３６  潤滑剤
６０  架台装置
６１  開口部
６３  回転フレーム
６４  回転支持部
６５  Ｘ線発生装置
６６  Ｘ線高電圧発生装置
６７  Ｘ線検出器
６８  データ収集回路
６９  データ伝送回路
７０  架台制御装置
８０  寝台装置
８１  天板
８２  支持部
１００  コンソール装置
１０２  画像生成機能
１０３  システム制御機能
１０４  入力装置
１０５  ディスプレイ
１１０  処理回路
１１１  記憶回路
【図１】
2020005709.tif 000003
【図２】
2020005709.tif 000004
【図３】
2020005709.tif 000005
【図４】
2020005709.tif 000006
【図５】
2020005709.tif 000007
【図６】
2020005709.tif 000008
【図７】
2020005709.tif 000009
【図８】
2020005709.tif 000010
【図９】
2020005709.tif 000011
【図１０】
2020005709.tif 000012
【図１１】
2020005709.tif 000013
【図１２】
2020005709.tif 000014
【図１３】
2020005709.tif 000015
【図１４】
2020005709.tif 000016
【図１５】
2020005709.tif 000017
【図１６】
2020005709.tif 000018